(57)【特許請求の範囲】
【請求項１】
分離チャンバであって、
患者からのガスサンプルを受けるように構成される入口；
前記ガスサンプルを出すように構成される出口；及び
前記入口と前記出口との間で前記分離チャンバの底部に配置された開口；を有し、
前記入口と前記出口との間で第１の方向に延びる通路を定め、前記通路を通って前記入口から前記出口に前記ガスサンプルを通過させるように構成される、
分離チャンバと；
前記分離チャンバの前記開口の下に配置されるリザーバと；
ガス透過膜であって、前記ガス透過膜は、前記通路の上部に配置された前記ガス透過膜の第１の部分が前記通路の底部に配置された前記ガス透過膜の第２の部分より前記通路の前記第１の方向において前記入口に近く且つ前記開口よりも入口側に位置するとともに、前記第２の部分が前記開口よりも出口側に位置するように、前記開口を越えて広がり、前記ガス透過膜は、前記通路を通る液体の流れを妨げるように前記通路を横切って広がる、ガス透過膜と；を有する、
装置。
【請求項２】
前記ガス透過膜は、疎水性材料を含む、
請求項１に記載の装置。
【請求項３】
前記ガス透過膜は、不織布スパンボンドオレフィン繊維材料を含む、
請求項２に記載の装置。
【請求項４】
前記ガス透過膜は、ポリフッ化ビニリデン及びポリテトラフルオロエチレンの少なくとも一方を含む、
請求項２に記載の装置。
【請求項５】
前記分離チャンバの前記開口を埋める親水性材料をさらに有する、
請求項１に記載の装置。
【請求項６】
前記開口を埋める材料をさらに有し、前記材料は、ポリエーテルスルホン、混合セルロースエステル、及びアセチルセルロースの少なくとも１つを含む、
請求項１に記載の装置。
【請求項７】
前記リザーバは、ねじ山によって前記分離チャンバに取り付けられる、
請求項１に記載の装置。
【請求項８】
前記分離チャンバの前記出口に接続される測定装置をさらに有し、前記測定装置は、前記ガスサンプルの特性を測定するように構成される、
請求項１に記載の装置。
【請求項９】
前記ガスサンプルの前記特性は、前記ガスサンプルの二酸化炭素レベルである、
請求項８に記載の装置。
【請求項１０】
チューブであって、入口、出口、及び前記入口と前記出口との間で前記チューブの底部に配置された開口を有し、前記チューブは前記入口と前記出口との間で第１の方向に延びる通路を定め、前記通路は前記第１の方向に垂直な断面を有する、チューブと；
前記チューブの前記開口の下に配置されるリザーバと；
前記通路の前記断面に対して０度より大きい角度で前記通路を通る液体の流れを妨げるように前記通路を横切って広がるガス透過膜であって、前記ガス透過膜は、前記チューブの前記底部に配置された前記ガス透過膜の下方部分が前記通路の前記第１の方向において前記開口よりも出口側に位置するとともに、前記チューブの上部に配置された前記ガス透過膜の上方部分が前記開口よりも入口側に位置するように、前記開口を越えて広がる、ガス透過膜と；を有する、
装置。
【請求項１１】
前記角度は、１０度から８０度の間である、
請求項１０に記載の装置。
【請求項１２】
前記ガス透過膜は、疎水性材料を含む、
請求項１０に記載の装置。
【請求項１３】
前記ガス透過膜は、不織布スパンボンドオレフィン繊維材料を含む、
請求項１２に記載の装置。
【請求項１４】
前記ガス透過膜は、ポリフッ化ビニリデン及びポリテトラフルオロエチレンの少なくとも一方を含む、
請求項１２に記載の装置。
【請求項１５】
前記チューブの前記開口を埋める親水性材料をさらに有する、
請求項１０に記載の装置。
【請求項１６】
前記開口を埋める材料をさらに有し、前記材料は、ポリエーテルスルホン、混合セルロースエステル、及びアセチルセルロースの少なくとも１つを含む、
請求項１０に記載の装置。
【請求項１７】
前記リザーバは、ねじ山によって前記チューブに取り付けられる、
請求項１０に記載の装置。
【請求項１８】
前記リザーバ内に配置される袋をさらに有する、
請求項１０に記載の装置。
【請求項１９】
前記リザーバは、それによって前記リザーバ内に収容された液体の高さを前記リザーバの外側から見ることができる透明窓を含む、
請求項１０に記載の装置。
【発明の詳細な説明】
【技術分野】
【０００１】
本発明は、低デッドスペース液体トラップ、例えば、患者の呼吸ガスの１又は複数の特性を測定する副流モニタリング装置で用いられ得る液体トラップに関する。
【背景技術】
【０００２】
例えば、換気若しくは麻酔下の、又は外部空気又は酸素供給部に接続された患者等、患者の呼吸ガスの１又は複数の特性を測定することがしばしば望ましい。特に、患者の呼吸ガスの二酸化炭素（ＣＯ２）レベルを測定することがしばしば望ましい。
【０００３】
カプノグラフィは、患者の呼吸ガスのＣＯ２の濃度又は分圧をモニタし、呼吸サイクル中の瞬間ＣＯ２濃度（ＦＣＯ２）対時間又は呼気体積のグラフィック表示を提供する。この表示は、ＣＯ２波形又はカプノグラムと称され得る。同様に、カプノメトリは、二酸化炭素（ＣＯ２）レベルを測定するとともにデジタル又はアナログモニタに表示し、例えば、呼吸サイクル中の最大の吸気の及び呼気のＣＯ２濃度を示す。カプノグラフィ（又はカプノメトリ）は、処置時の鎮静状態中のように、例えば、換気された患者の呼吸ガスのＣＯ２レベルを表示するために、病院の設定において使用され得る。カプノグラフィは、麻酔の間のモニタリングの標準として３０年以上用いられている。
【０００４】
カプノグラフィはまた、救急救命士によって彼らの判断及び入院前の環境において患者の処置を支援するためにますます使われている。これらの使用は、気管内チューブの位置を確かめること及びモニタリングすることを含む。気管に適切に位置決めされたチューブは、患者の気道を保護し、救急救命士が患者のために換気を提供することを可能にする。食道に誤って配置されたチューブは、死につながる可能性がある。救急医療の２００５年３月の年報での研究では、挿管を確かめるために連続カプノグラフィを使用したもの対非使用の現場の挿管の比較が、モニタリングしているグループにおける零の認識されていない誤って配置された相関対非モニタリンググループにおける２３％の誤って配置されたチューブを示した。米国心臓協会（ＡＨＡ）は、２０１０のＡＣＬＳ／ＣＰＲガイドラインにおいてチューブ配置を確かめるためにカプノグラフィを使用することの重要性を確認した。
【０００５】
ＡＨＡはまた、新しいガイドラインで、心拍出量を間接的に測定する、カプノグラフィが、ＣＰＲの有効性をモニタリングするために及び自己心拍再開（ＲＯＳＣ）の初期の徴候として使用されることもできることを、指摘している。研究は、ＣＰＲを行っている人が疲れるとき、患者の呼気終末ＣＯ２（ＥＴＣＯ２）、呼気の終末に放出される二酸化炭素の濃度が下がり、その後新しい救助者が引き継ぐとき上昇することを示している。他の研究は、患者が自己心拍再開を起こしているとき、血液循環の殺到が組織から輸送されなかったＣＯ２を運ぶので、最初の徴候はしばしばＥＴＣＯ２の急激な上昇であることを示している。同様に、ＥＴＣＯ２の急激な低下は、患者が脈拍を失い、ＣＰＲが開始されることを必要とし得ることを示し得る。
【０００６】
カプノグラフィは、患者の換気のひと呼吸ごとの測定を提供するので、救急救命士に患者の呼吸状態の早期警戒システムを提供することによって、患者の容体の悪化する傾向を素早く明らかにすることができる。救急救命士はまた、二酸化炭素を収集する鼻カニューレを使用することによって、挿管されていない患者のＥＴＣＯ２状態を今もモニタリングしている。精神状態の変化又は重度の呼吸困難を伴う患者の高いＥＴＣＯ２読取値は、低換気及び患者が挿管されることに関する起こり得る必要性を示し得る。同様に、ある患者の低いＥＴＣＯ２読取値は、過換気を示し得る。
【０００７】
一般的に、カプノグラフィに対して用いられる２種類の配置、主流（非迂回）カプノグラフィモニタリング及び副流（迂回）カプノグラフィモニタリングがある、副流、又は迂回、カプノグラフィは、サンプリング位置から、サンプリングチューブを通って、センサに患者の呼吸ガスの一部を運ぶ一方、主流、又は非迂回、カプノグラフィは、ガスをサンプリング位置から離れて運ばない。言い換えると、主流（非迂回）カプノグラフィと副流（迂回）カプノグラフィとの間の違いを、サンプリング位置でＣＯ２を臨床的に測定すること対サンプリング位置から離れたモニタでＣＯ２を測定することとして見ることができる。
【０００８】
主流モニタリングでは、センサは、ＣＯ２が患者の呼吸回路内で直接測定されるように、特別な気道アダプタに配置される。主流モニタリングの利点は、より早い応答時間、体温大気圧飽和（ＢＴＰＳ）状態近くでガスを測定する能力、及びウォータトラップ無しでの作動を含む。しかし、一般的に、主流モニタリングは幾つかの欠点を有する。このような欠点は、挿管されていない患者を簡単にモニタすることができないことを含む。
【０００９】
副流カプノグラフィでは、患者の呼吸ガスのサンプルが、呼吸回路からモニタの内部にあるセンサに吸引される。一般的に、副流モニタリングは、主流モニタリングと比べて、例えば、サンプルライン閉塞及び波形ひずみを含む、幾つかの欠点を有する。さらに、採取されたガスの温度は、患者接続部からモニタへの輸送の間、室温に向かって減少する。これは、チューブの壁への凝縮液形成及びＢＴＰＳ値からはるかに低い値への水蒸気の分圧の結果として生じる低下をもたらす。水蒸気圧のこの減少は、ＣＯ２濃度の明らかな増加を引き起こし得る。
【００１０】
しかし、副流構成は、挿管された及び挿管されていない患者両方で使用され得る。したがって、副流モニタリングは、主流モニタリングの代わりに、特に、挿管されていない患者の場合にしばしば用いられる。
【００１１】
副流モニタリングの主要な挑戦の１つは、ガスサンプルから如何なる凝縮された液体（例えば水）も分離し、液体がガスモニタリング装置、そこでは液体がセンサを損傷する可能性がある、に入ることを防ぐことである。今日市場で入手できるたいていのウォータトラップは、１００ｍｌ／ｍｉｎ以上の範囲の流速を持つサンプリングシステムのためのものである。しかし、幾つかの患者グループでは、例えば、およそ４０−６０ｍｌ／ｍｉｎの、より低い流速で作動することがしばしば望まれる。
【００１２】
さらに、多くのウォータトラップはまた、液体をガスサンプルから分離するのを助けるようにウォータトラップのリザーバに負圧を引くために二次流れの使用を必要とする。
【００１３】
残念ながら、一般に入手可能なウォータトラップは、過剰なデッドスペースおよび体積を有し、ガスサンプル特性への結果として生じる影響はシステム性能に有害である。特に、ガス測定精度、呼吸数範囲、及び信号忠実度は全て、副流カプノグラフィシステムのウォータトラップの大きいデッドスペースによって悪影響を受ける。
【００１４】
さらに、大きい呼吸サンプルレートの必要性は、低流量適用での副流モニタリングの使用を妨げている。
【発明の概要】
【発明が解決しようとする課題】
【００１５】
したがって、上述の課題の１又は複数に対処することができるウォータトラップを提供することが望ましい。
【課題を解決するための手段】
【００１６】
本発明の１つの態様では、装置は、分離チャンバ及びリザーバを有する。分離チャンバは、患者からのガスサンプルを受けるように構成される入口、ガスサンプルを出すように構成される出口、及び入口と出口との間で分離チャンバの底部に配置された開口、を有する。分離チャンバは、入口と出口との間で第１の方向に延びる通路を定め、通路を通って入口から出口にガスサンプルを通過させるように構成される。リザーバは、分離チャンバの開口の下に配置される。ガス透過膜が、通路の上部に配置された膜の第１の部分が、通路の底部に配置された膜の第２の部分より入口の近くに位置するように、通路ににわたって広がる。
【００１７】
幾つかの実施形態では、ガス透過膜はさらに、膜の第１の部分が、入口に近い開口の第１の側部に位置し、膜の第２の部分が第１の側部の反対側且つ出口に近い開口の第２の側部に位置するように、開口を越えて広がる。
【００１８】
幾つかの実施形態では、ガス透過膜は、疎水性材料を含む。
【００１９】
これらの実施形態の１つのオプションの変形形態では、ガス透過膜は、不織布スパンボンドオレフィン繊維材料を含む。
【００２０】
これらの実施形態の１つのオプションの変形形態では、ガス透過膜は、ポリフッ化ビニリデン及びポリテトラフルオロエチレンの少なくとも一方を含む。
【００２１】
幾つかの実施形態では、親水性材料が、分離チャンバの開口を埋める。
【００２２】
幾つかの実施形態では、材料が開口を埋め、材料は、ポリエーテルスルホン、混合セルロースエステル、及びアセチルセルロースの少なくとも１つを含む。
【００２３】
幾つかの実施形態では、リザーバは、ねじ山によって分離チャンバに取り付けられる。
【００２４】
幾つかの実施形態では、装置はさらに、分離チャンバの出口に接続される測定装置を有し、測定装置は、ガスサンプルの特性を測定するように構成される。
【００２５】
これらの実施形態の１つのオプションの変形形態では、ガスサンプルの特性は、ガスサンプルの二酸化炭素レベルである。
【００２６】
本発明の他の態様では、装置が：チューブであって、入口、出口、及び入口と出口との間でチューブの底部に配置された開口を有し、チューブは入口と出口との間で第１の方向に延びる通路を定め、通路は第１の方向に垂直な断面を有する、チューブと；チューブの開口の下に配置されるリザーバと；通路の断面に対して０より大きい角度で通路ににわたって広がるガス透過膜と；を有する。
【００２７】
幾つかの実施形態では、角度は、１０度から８０度の間である。
【００２８】
幾つかの実施形態では、ガス透過膜は、疎水性材料を含む。
【００２９】
これらの実施形態の１つのオプションの変形形態では、ガス透過膜は、不織布スパンボンドオレフィン繊維材料を含む。
【００３０】
これらの実施形態の１つのオプションの変形形態では、ガス透過膜は、ポリフッ化ビニリデン及びポリテトラフルオロエチレンの少なくとも一方を含む。
【００３１】
幾つかの実施形態では、親水性材料が、チューブの開口を埋める。
【００３２】
幾つかの実施形態では、材料が開口を埋め、材料は、ポリエーテルスルホン、混合セルロースエステル、及びアセチルセルロースの少なくとも１つを含む。
【００３３】
幾つかの実施形態では、リザーバは、ねじ山によってチューブに取り付けられる。
【００３４】
幾つかの実施形態では、袋がリザーバ内に配置される。
【００３５】
幾つかの実施形態では、リザーバは、それによってリザーバ内に収容された液体の高さをリザーバの外側から見ることができる透明窓を含む。
【図面の簡単な説明】
【００３６】
【図１】患者呼吸ガスの副流モニタリングを用いる装置の１つの例示的な実施形態を示す。
【図２Ａ】液体トラップの１つの例示的な実施形態の図を示す。
【図２Ｂ】液体トラップの１つの例示的な実施形態の図を示す。
【図３】図２Ｂの線Ｉ−Ｉ’に沿って取られた図２Ａ−Ｂの液体トラップの切り取り断面図を示す。
【図４】副流モニタリングを用いる換気装置の１つの例示的な実施形態を示す。
【図５】副流モニタリングを用いる装置の１つの例示的な実施形態の一部を示す。
【発明を実施するための形態】
【００３７】
本発明は、本発明の好適な実施形態が示される添付図面を参照して以下により完全に記載される。しかし、本発明は、多くの異なる形態で具体化されることができ、本明細書に述べられる実施形態に限定されるものとして解釈されるべきではない。むしろ、これらの実施形態は、本発明の例を教示するものとして提供される。
【００３８】
図１は、患者の呼吸ガスの副流モニタリングを用いる装置１００の１つの例示的な実施形態を示す。装置１００は、そこを患者の呼吸ガスが通過する呼吸チューブ１２６を含む。チューブ１２６は、チューブ１３０及び液体トラップ１５０を経由してモニタリング装置１４０に接続されるモニタリングポート１２６ａを有する。
【００３９】
幾つかの実施形態では、モニタリング装置１４０は、カプノグラフィモニタを有し得る。特に、モニタリング装置１４０は、ガスサンプルのＣＯ２濃度を測定するためのセンサ、及び患者の呼吸サイクル中のＣＯ２濃度対時間又は呼気体積を表示するためのディスプレイを含み得る。
【００４０】
作動中、患者からの呼吸ガスのサンプルは、モニタポート１２６ａを経由してチューブ１３０に供給される。液体が、ガスサンプルに混入される可能性があり、ガスサンプル内の水蒸気が、チューブ１３０を通過する間に凝縮し得る。この液体又は水は、センサ及び／又はモニタリング装置１４０の他の構成要素に悪影響を及ぼし得る。
【００４１】
したがって、液体トラップ１５０は、ガスサンプルに混入された液体（例えば、水）を捕えるとともに、モニタリング装置１４０に達することを防ぐ。
【００４２】
図２Ａ−Ｂは、装置１００の液体トラップ１５０として用いられ得る液体トラップ２００の１つの例示的な実施形態の２つの図を示す。液体トラップ２００は、チューブ２０４及びリザーバ２０８を含む。チューブ２０４は、患者からのガスサンプルを受けるように構成される入口２０４ａ；及びガスサンプルを、例えば、センサに、測定器具に、又はカプノグラフィモニタのようなモニタリング装置に出すように構成される出口２０４ｂを含む。リザーバ２０８は、液体が出口２０４に、したがって、例えば、センサ、測定器具、又はモニタリング装置に移動することを防ぐように、入口２０４ａで受けられたガスサンプルに混入した液体（例えば、凝縮水）を捕獲し且つ保持する。
【００４３】
液体トラップ２００の構成、構造、及び作動のより良い理解を、図２ＢのＩ−Ｉ’線に沿って取られた液体トラップ２００の切り取り断面図を示す図３を参照することによって、得ることができる。図３に示されるように、液体トラップ２００のチューブ２０４は、入口２０４ａと出口２０４ｂとの間で第１の方向（“Ｘ”で表示される）に延びる通路２０６を定める。通路２０６は、第１の方向に垂直に広がる断面を有する。液体トラップ２００の例示的な実施形態では、断面は円形であるが、液体トラップの他の実施形態では、断面は、楕円、長方形、又は正方形のような、他の形を有し得る。幾つかの実施形態では、通路２０６の直径は、約０．１００インチであり得る。
【００４４】
液体トラップ２００はまた、ガス透過膜２０５であって、通路２０６の上部に配置されたガス透過膜２０５の第１の部分２０５ａが、通路２０６の底部に配置された膜２０５の第２の部分２０５ｂより入口２０４ａの近くに位置するように、通路２０６を横切って広がる。言い換えると、膜２０５は、多孔性の栓、又は通路２０６の断面に対して角度θの通路２０６内の傾斜部（ｒａｍｐ）として構成され、θは、零度以外のある値を有する。幾つかの実施形態では、θは、１０度から８０度の間の値である。幾つかの実施形態では、θは、約４５度であり得る。幾つかの実施形態では、通路２０６を定めるチューブ２０４の内壁は、ガス透過膜２０５を通路２０６内の適切な位置に保持するように構成される１又は複数の切り欠き又は溝を含み得る。
【００４５】
有利には、ガス透過膜２０５は、好ましくは、最小の妨害で、ガスサンプルがそこを通過することを可能にするが、そこを通る液体の流れを抑制する又は妨げる。幾つかの実施形態では、ガス透過膜は、細孔寸法＞０．２μｍの多孔性である。
【００４６】
幾つかの実施形態では、ガス透過膜２０５は、疎水性材料を含む。幾つかの実施形態では、ガス透過膜２０５は、ＴＹＶＥＫ（登録商標）のような不織布スパンボンドオレフィン繊維材料を含む。幾つかの実施形態では、ガス透過膜２０５は、ポリフッ化ビニリデン（ＰＶＤＦ）及び／又はポリテトラフルオロエチレン（ＰＴＦＥ）を含み得る。
【００４７】
チューブ２０４はまた、入口２０４ａと出口２０４ｂとの間でチューブ２０４の底部に配置された開口２０７を有する。リザーバ２０８は、開口２０７の下に配置される。有利には、開口２０７は、センサ、測定器、又はカプノグラフィモニタのようなモニタリング装置でのガスの正確な測定を可能にするよう、ガスサンプルが入口２０４ａから出口２０４ｂに流れるときガスサンプルを乱さないような十分小さいサイズを有する。幾つかの実施形態では、開口２０７は、約０．０６インチ以下の直径を有する。
【００４８】
幾つかの実施形態では、ガス透過膜２０５は、膜２０５の第１の部分２０５ａが入口２０４ａに近い開口２０７の第１の側部に位置し、膜２０５の第２の部分２０５ｂが第１の側部の反対側且つ出口２０４ｂに近い開口２０７の第２の側部に位置するように、開口２０７を越えて広がる。
【００４９】
幾つかの実施形態では、液体トラップ２００は、開口２０７を埋める芯（ｗｉｃｋ）２０９を含む。芯２０９の上方部分は、ガス透過膜２０５によって形成された傾斜部と接触し得る。有利には、芯２０９は、親水性材料を含む。幾つかの実施形態では、親水性材料は、ポリエーテルスルホン、混合セルロースエステル、及び／又はアセチルセルロースを含む。
【００５０】
液体トラップ２００の他の実施形態では、芯２０９は、省略されることができ、開口２０７を開放したままにする。
【００５１】
作動中、チューブ２０４は、液体（例えば、水）をガスサンプルから分離するための分離チャンバ２０２として働く。
【００５２】
ガスサンプルは、ガス透過膜２０５を通って流れ、分離チャンバ２０２を通ってセンサ、測定器具、又はカプノグラフィモニタのようなモニタリング装置に続く。
【００５３】
しかし、液体（例えば凝縮水）が通路２０６を通って流れるとき、液体は、ガス透過膜２０５によって妨げられる。ガス透過膜２０５によって形成された傾斜部は、流速及び重力と併せて、液体がガス透過膜２０５によって形成された傾斜部の下に配置された開口２０７を通って落ちるまで、液体を傾斜部の下に推し進める。ガス透過膜２０５が疎水性材料を含むとき、これはさらに、出口２０４ｂへの分離チャンバ２０２の通路２０６を通る液体の流れを妨げる。
【００５４】
液体は、開口２０７を通って落下し、収集リザーバ２０８に集まる。液体トラップ２００が親水性芯２０９を含むとき、これは、分離チャンバ２０２からリザーバ２０８への液体の除去を助ける。集められた液体２１０は、リザーバ２０８にたまる。
【００５５】
蓄えられた液体２１０がリザーバ２０８を満たすとき、液体トラップ２００は、取り外され得るとともに、確立されたプロトコルによって処理され得る。幾つかの実施形態では、リザーバ２０８は、分離チャンバ２０２にねじ山によって取り外し可能に取り付けられる。この場合、蓄えられた液体２１０がリザーバ２０８を満たすとき、リザーバ２０８は、分離チャンバ２０２から取り外され得るとともに、洗浄され且つ交換され得る、或いは捨てられ得る。幾つかの実施形態では、袋が、蓄えられた液体を収集するためにリザーバ２０８内に配置され得る。この場合、蓄えられた液体２１０がリザーバ２０８を満たすとき、リザーバ２０８は分離チャンバ２０２から取り外され、袋が捨てられ、新しい袋が、リザーバ２０８内に設けられ、その後リザーバ２０８が分離チャンバ２０２に再び取り付けられ得る。
【００５６】
幾つかの実施形態では、リザーバ２０８は、透明であり得る、又は、リザーバ２０８内に収容された蓄えられた液体２１０のレベル（高さ）がリザーバ２０８の外から見られ得るように、透明な窓を含み得、これは、特定の実施形態及び確立されたメンテナンス手順に応じて、水トラップ２００、リザーバ２０８、又はリザーバ２０８内に配置された袋を、いつ取り外すか及び交換するかを決定するのに役立ち得る。
【００５７】
図４は、副流モニタリングを用いる換気装置４００の１つの例示的な実施形態を示す。換気装置４００は、ベンチレータ４１０、複枝型患者回路４２０、モニタリング装置１４０、及び液体トラップ１５０を含む。複枝型患者回路４２０は、吸入患者回路又は吸気枝４２２、及び呼気患者回路又は呼気枝４２４を含み、それらの両方はＹコネクタ４２８及び副流トラップ４２６を経由して患者に接続される。副流トラップ４２６は、チューブ１３０及び液体トラップ４５０を介してモニタリング装置１４０に接続されるモニタポート４２６ａを有する。上述の液体トラップ２００は、装置４００において液体トラップ４５０として用いられ得る。上述のように、幾つかの実施形態では、モニタリング装置１４０は、カプノグラフィモニタを有し得る。特に、モニタリング装置１４０は、ガスサンプル内のＣＯ２濃度を測定するためのセンサ、及び患者の呼吸サイクル中のＣＯ２濃度対時間又は呼気体積を表示するためのディスプレイを含み得る。
【００５８】
図５は、副流モニタリングを含む装置５００の１つの例示的な実施形態の一部を示す。特に、装置５００では、挿管されていない患者からのガスサンプルの１又は複数の特性が副流モニタリングを用いて測定される。装置５００は、患者の呼吸ガスを運ぶカニューレ組立体５１０を含む。カニューレ組立体５１０は、チューブ組立体５１２及び鼻プロング５１４を含む。チューブ５３０は、カニューレ組立体５１０に接続し、呼吸ガスのサンプルを液体トラップを経由してモニタリング装置１４０に迂回させる。上述の液体トラップ２００は、装置５００において液体トラップ５５０として用いられ得る。上述のように、幾つかの実施形態では、モニタリング装置１４０は、カプノグラフィモニタを有し得る。特に、モニタリング装置１４０は、ガスサンプル内のＣＯ２濃度を測定するためのセンサ、及び患者の呼吸サイクル中のＣＯ２濃度対時間又は呼気体積を表示するためのディスプレイを含み得る。
【００５９】
好適な実施形態がここに開示されているが、本発明の概念及び範囲内に留まる多くの変形形態が可能である。このような変形形態は、ここにある明細書、図面及び請求項の精査後に当業者に明らかになるであろう。したがって、本発明は、添付の請求項の範囲内を除いて限定されるものではない。
【図１】
0006510409.tif 000002
【図２Ａ】
0006510409.tif 000003
【図２Ｂ】
0006510409.tif 000004
【図３】
0006510409.tif 000005
【図４】
0006510409.tif 000006
【図５】
0006510409.tif 000007